(57)【要約】光学式バーコードスキャナを拡張するための装置および方法。装置は、ＲＦＩＤ読取機と、光学式バーコードスキャナに取り付け可能な本体部分と、インターフェースコネクタが光学式バーコードスキャナの拡張ポートと接続された場合に、ＲＦＩＤ読取機と光学式バーコードスキャナとの間の通信リンクを形成するためのインターフェースコネクタとを含む、付属モジュールを備えている。一実施形態において、光学式バーコードスキャナは、トリガを含み、ＲＦＩＤ読取機は、インターフェースコネクタが光学式バーコードスキャナの拡張ポートと接続された場合に、ＲＦＩＤ読取機のインターフェースコネクタから、トリガ状態を受信するように構成されている。
2013511772.tif 000002
【特許請求の範囲】
【請求項１】
筐体と、基部と、拡張ポートとを有する光学式バーコードスキャナであって、前記拡張ポートは、外部取り付け可能な付属モジュールを前記光学式バーコードスキャナに接続し、前記光学式バーコードスキャナが平坦表面上に設置された場合に、前記基部は、前記光学式バーコードスキャナのための支持として機能するように動作する、光学式バーコードスキャナと、
付属モジュールと
を備え、
前記付属モジュールは、前記付属モジュールの中にＲＦＩＤ読取機を有し、前記付属モジュールを前記光学式バーコードスキャナに取り付けるように構成された形状因子を有し、前記付属モジュールは、インターフェースコネクタが前記光学式バーコードスキャナの拡張ポートと接続された場合に、前記ＲＦＩＤ読取機と前記光学式バーコードスキャナとの間の通信リンクを形成するためのインターフェースコネクタをさらに備え、前記ＲＦＩＤ読取機は、ＲＦＩＤアンテナと、ＲＦ送信機と、ＲＦ受信機と、復調器とを含み、前記付属モジュールは、前記光学式バーコードスキャナに外部取り付け可能である、
装置。
【請求項２】
前記光学式バーコードスキャナは、トリガを含み、前記ＲＦＩＤ読取機は、前記インターフェースコネクタが前記光学式バーコードスキャナの拡張ポートと接続された場合に、前記ＲＦＩＤ読取機のインターフェースコネクタから、トリガ状態を受信するように構成されている、請求項１に記載の装置。
【請求項３】
前記光学式バーコードスキャナは、手持モードおよび提示モードを含む複数のモードのうちの１つで動作するように構成され、前記ＲＦＩＤ読取機は、前記インターフェースコネクタが前記光学式バーコードスキャナの拡張ポートと接続された場合に、前記ＲＦＩＤ読取機のインターフェースコネクタからモード状態を受信するように構成されている、請求項１に記載の装置。
【請求項４】
前記モード状態を受信すると、前記ＲＦＩＤ読取機は、前記モード状態に基づいて、前記ＲＦＩＤ読取機の動作モードおよび前記ＲＦＩＤ読取機の少なくとも１つのＲＦＩＤパラメータのうちの少なくとも１つを設定するように構成されている、請求項３に記載の装置。
【請求項５】
前記光学式バーコードスキャナは、バッテリを含み、前記ＲＦＩＤ読取機は、前記インターフェースコネクタが前記光学式バーコードスキャナの拡張ポートと接続された場合に、前記光学式バーコードスキャナのバッテリから、電力を受信するように構成されている、請求項１に記載の装置。
【請求項６】
光学式バーコードスキャナを拡張するための外部取り付け可能な付属モジュールであって、前記光学式バーコードスキャナは、筐体と、基部と、拡張ポートとを有し、
前記付属モジュールは、
ＲＦＩＤアンテナと、ＲＦ送信機と、ＲＦ受信機と、復調器とを含むＲＦＩＤ読取機と、
前記光学式バーコードスキャナに取り付け可能な本体部分と、
インターフェースコネクタと
を備え、
前記インターフェースコネクタは、インターフェースコネクタが、前記光学式バーコードスキャナの拡張ポートと接続された場合に、前記ＲＦＩＤ読取機と前記光学式バーコードスキャナとの間の通信リンクを形成する、
外部取り付け可能な付属モジュール。
【請求項７】
前記光学式バーコードスキャナは、トリガを有し、前記ＲＦＩＤ読取機は、前記インターフェースコネクタが前記光学式バーコードスキャナの拡張ポートと接続された場合に、前記インターフェースコネクタから、前記光学式バーコードスキャナのトリガ状態を受信するように構成されている、請求項６に記載の外部取り付け可能な付属モジュール。
【請求項８】
前記光学式バーコードスキャナは、手持モードおよび提示モードを含む複数のモードのうちの１つで動作するように構成され、前記ＲＦＩＤ読取機は、前記インターフェースコネクタが前記光学式バーコードスキャナの拡張ポートと接続された場合に、前記インターフェースコネクタから、前記光学式バーコードスキャナのモード状態を受信するように構成されている、請求項６に記載の外部取り付け可能な付属モジュール。
【請求項９】
前記モード状態を受信すると、前記ＲＦＩＤ読取機は、前記モード状態に基づいて、前記ＲＦＩＤ読取機の動作モードおよび前記ＲＦＩＤ読取機の少なくとも１つのＲＦＩＤパラメータのうちの少なくとも１つを設定するように構成されている、請求項８に記載の外部取り付け可能な付属モジュール。
【請求項１０】
前記光学式バーコードスキャナは、バッテリを有し、前記ＲＦＩＤ読取機は、前記インターフェースコネクタが前記光学式バーコードスキャナの拡張ポートと接続された場合に、前記光学式バーコードスキャナのバッテリから、電力を受け取るように構成されている、請求項６に記載の外部取り付け可能な付属モジュール。
【請求項１１】
光学式バーコードスキャナを拡張する方法であって、前記光学式バーコードスキャナは、筐体と、基部と、拡張ポートとを有し、前記拡張ポートは、外部取り付け可能な付属モジュールを前記光学式バーコードスキャナに接続し、前記方法は、
外部取り付け可能な付属モジュールであって、前記外部取り付け可能な付属モジュールの中にＲＦＩＤ読取機を有する外部取り付け可能な付属モジュールと、インターフェースコネクタとを提供することであって、前記ＲＦＩＤ読取機は、ＲＦＩＤアンテナと、ＲＦ送信機と、ＲＦ受信機と、復調器とを含む、ことと、
前記光学式バーコードスキャナを拡張するために、前記外部取り付け可能な付属モジュールを前記光学式バーコードスキャナに取り付けることと、
前記インターフェースコネクタを前記光学式バーコードスキャナの拡張ポートと接続し、前記ＲＦＩＤ読取機と前記光学式バーコードスキャナとの間の通信リンクを形成することと
を含む、方法。
【請求項１２】
前記光学式バーコードスキャナは、トリガを含み、前記ＲＦＩＤ読取機によって、前記インターフェースコネクタから前記光学式バーコードスキャナのトリガ状態を受信することとをさらに含む、請求項１１に記載の方法。
【請求項１３】
前記光学式バーコードスキャナは、手持モードおよび提示モードを含む複数のモードのうちの１つで動作するように構成され、前記ＲＦＩＤ読取機によって、前記インターフェースコネクタから前記光学式バーコードスキャナのモード状態を受信することをさらに含む、請求項１１に記載の方法。
【請求項１４】
前記インターフェースコネクタから受信した前記モード状態に基づいて、前記ＲＦＩＤ読取機の動作モードおよび少なくとも１つのＲＦＩＤパラメータのうちの少なくとも１つを設定することをさらに含む、請求項１３に記載の方法。
【請求項１５】
前記光学式バーコードスキャナ内のバッテリによって、前記ＲＦＩＤ読取機に給電することをさらに含む、請求項１１に記載の方法。
【発明の詳細な説明】
【技術分野】
【０００１】
本開示は、概して、バーコード走査技術およびＲＦＩＤ技術の両方を含む、データ捕捉技術に関する。
【背景技術】
【０００２】
可動式レーザビーム読取機またはレーザスキャナは、１次元および２次元バーコード記号を電気光学的に読み取るために、長年、使用されている。可動式レーザビーム読取機は、概して、筐体と、レーザビームを放出するためのレーザと、レーザビームを集束し、筐体に対して、作業距離の範囲内の焦点面に、あるサイズを有する、ビームスポットを形成するための集束レンズアセンブリと、標的記号にわたって、例えば、走査線または一連の走査線において、記号にわたって、毎秒複数回の走査パターンでビームスポットを反復的に走査するための走査構成要素と、記号から反射および／または散乱する光を検出し、検出された光をアナログ電気信号に変換するための光検出器と、アナログ信号をデジタル化するデジタイザ、および記号のために使用される特定の記号論に基づいて、デジタル化された信号を復号化するマイクロプロセッサを含む、信号処理回路とを含む。概して、レーザスキャナは、手持モードまたは固定ワークステーションモードで動作することができる。
【０００３】
固体撮像システムまたは撮像読取機もまた、そのような記号を電気光学的に読み取るために使用されている。撮像読取機は、筐体と、撮像器の視野内の画像要素または画素に対応する、セルまたは光センサのアレイを有する、固体撮像器またはセンサと、照明光源、例えば、レーザまたは１つ以上の発光ダイオード（ＬＥＤ）から、照明光によって、視野を照明するための照明光アセンブリと、作業距離の範囲にわたって撮像される記号から散乱および／または反射する、戻り周囲および／または照明光を捕捉するための撮像レンズアセンブリとを含む。そのような撮像器は、１次元または２次元電荷結合素子（ＣＣＤ）または相補型金属酸化膜半導体（ＣＭＯＳ）素子と、視野にわたって、画素情報の１次元または２次元アレイに対応する電子信号を生成するための関連付けられた回路とを含み得る。マイクロプロセッサを含む、信号処理回路は、電子信号を処理し、記号を復号化する。照準光発生器もまた、撮像に先立って、記号上に照準光パターンまたはマークを投影するために、筐体内に提供され得る。レーザスキャナ同様に、固体撮像スキャナもまた、手持モードまたは固定ワークステーションモードで動作することができる。
【０００４】
図１は、概して、手持モードおよびワークステーションモードの両方で動作することができる、光学式バーコードスキャナ４０を描写する。光学式バーコードスキャナ４０は、窓４６と、トリガ４１と、筐体４２と、基部４８とを含む。光学式バーコードスキャナ４０内の電子構成要素への電力は、筐体に接続されたケーブルを介して、または筐体内のバッテリを介して、供給することができる。基部４８は、平坦表面上に設置されると、光学式バーコードスキャナ４０のための支持として機能することができる。したがって、光学式バーコードスキャナ４０は、カウンタ上に設置され、製品が、窓４６の前方をスライド、またはスワイプされる場合、固定ワークステーションとして使用することができる。光学式バーコードスキャナ４０はまた、カウンタから取り上げた後、オペレータの手に保持され、トリガ４１が、手動で押下され、バーコード記号の読取を開始する場合、手持式読取機として使用することができる。
【０００５】
図１の光学式バーコードスキャナ４０のようなバーコードスキャナは、長年、極めて成功しており、多くのバーコード用途において、広く使用されている。モジュラー式かつコスト効果的様式において、他の種類のデータ捕捉能力をこれらのバーコードスキャナに追加することが望ましい。
【発明の概要】
【課題を解決するための手段】
【０００６】
一側面では、本発明は、光学式バーコードスキャナを拡張するための付属モジュールを対象とする。光学式バーコードスキャナは、筐体と、基部と、拡張ポートとを有する。付属モジュールは、ＲＦＩＤ読取機と、光学式バーコードスキャナに取り付け可能な本体部分と、インターフェースコネクタが光学式バーコードスキャナの拡張ポートと接続された場合に、ＲＦＩＤ読取機と光学式バーコードスキャナとの間の通信リンクを形成するためのインターフェースコネクタとを含む。
【０００７】
別の側面では、本発明は、光学式バーコードスキャナを拡張する方法を対象とする。光学式バーコードスキャナは、筐体と、基部と、拡張ポートとを有する。方法は、（１）その中にＲＦＩＤ読取機を有する、付属モジュールと、インターフェースコネクタとを提供することと、（２）光学式バーコードスキャナを拡張するために、付属モジュールを光学式バーコードスキャナに取り付けることと、（３）インターフェースコネクタを光学式バーコードスキャナの拡張ポートと接続し、ＲＦＩＤ読取機と光学式バーコードスキャナとの間の通信リンクを形成することとを含む。
【０００８】
本発明の実装は、以下の利点のうちの１つ以上を含むことができる。ＲＦＩＤ読取能力は、モジュラー式かつコスト効率的様式において、いくつかの既存のバーコードスキャナに追加することができる。本発明のこれらおよび他の利点は、本発明の以下の明細書の熟読および図面のいくつかの図の研究に応じて、当業者に明白となるであろう。
【図面の簡単な説明】
【０００９】
付随の図面（同一参照番号は、別個の図を通して、同じまたは機能的類似要素を指す）は、以下の発明を実施するための形態とともに、明細書に組み込まれ、その一部を形成し、請求される発明を含む、概念の実施形態をさらに例証し、それらの実施形態の種々の原理および利点を説明する役割を果たす。
【図１】図１は、概して、手持モードおよび作業場モードの両方で動作することができる、光学式バーコードスキャナを描写する。
【図２】図２は、いくつかの実施形態による、符号化された記号等の標的を電気光学的に読み取るための可動式レーザビーム読取機を描写する。
【図３】図３は、いくつかの実施形態による、符号化された記号を撮像するための撮像読取機を描写する。
【図４】図４は、一特定の種類の実装における、簡略化されたＲＦＩＤ読取機の一部を示す。
【図５】図５は、いくつかの実施形態による、拡張ポートを含む、改良された光学式バーコードスキャナを描写する。
【図６】図６〜１０は、いくつかの実施形態による、付属モジュールが、どのように光学式バーコードスキャナの基部に取り付けることができるかを例証する。
【図７】図６〜１０は、いくつかの実施形態による、付属モジュールが、どのように光学式バーコードスキャナの基部に取り付けることができるかを例証する。
【図８】図６〜１０は、いくつかの実施形態による、付属モジュールが、どのように光学式バーコードスキャナの基部に取り付けることができるかを例証する。
【図９】図６〜１０は、いくつかの実施形態による、付属モジュールが、どのように光学式バーコードスキャナの基部に取り付けることができるかを例証する。
【図１０】図６〜１０は、いくつかの実施形態による、付属モジュールが、どのように光学式バーコードスキャナの基部に取り付けることができるかを例証する。
【発明を実施するための形態】
【００１０】
当業者は、図中の要素が、便宜および明確性のために例証されており、必ずしも、正確な縮尺で描かれていないことを理解するであろう。例えば、図中の要素のうちのいくつかの寸法は、本発明の実施形態の理解の向上を支援するために、他の要素と比較して、誇張され得る。
【００１１】
装置および方法の構成要素は、必要に応じて、従来の記号によって、図面中に表されているが、本明細書の説明から利益を享受する当業者に容易に明白となるであろう詳細によって、本開示を曖昧にすることがないように、本発明の実施形態の理解に関する、それらの特定の詳細のみを示す。
【００１２】
図２は、いくつかの実施形態による、符号化された記号等の標的を電気光学的に読み取るための可動式レーザビーム読取機４０を描写する。ビーム読取機４０は、その上に、読取を開始するためのトリガ４１が搭載される、ハンドル４４を有する、可搬性手持式筐体４２内に走査鏡６２を含む。走査鏡６２は、記号にわたって、窓４６を通して、ある走査パターンにおいて、レーザ６４からの出射レーザビームを走査するために動作する。記号から反射された光は、読取の際、光ダイオード６６から検出される。ビーム読取機４０はまた、出射レーザビームを光学的に修正するための集束レンズアセンブリまたは光学６１と、その後、マイクロプロセッサまたはコントローラ７０によって、読み取られる記号を示すデータに復号化するために、戻り光から、検出器６６によって生成された電気アナログ信号をデジタル信号に変換するためのデジタイザ６８とを含む。前述の構成要素は、コントローラ７０を除き、データ捕捉アセンブリ５０として、図２に描写される。
【００１３】
図３は、いくつかの実施形態による、符号化された記号を撮像するための撮像読取機４０を描写する。撮像読取機４０は、その上に、読取を開始するためのトリガ４１が搭載される、ハンドル４４を有する、可搬性手持式筐体４２内に搭載される、１次元または２次元固体撮像器５５を含む。撮像器５５は、撮像レンズアセンブリ５１とともに、撮像の際、窓４６を通して、記号から反射および／または散乱する戻り光を捕捉し、その後、コントローラ７０によって、読み取られる記号を示すデータに復号化するために、捕捉された画像を示す電気信号を生成するために動作する、画像センサのアレイを有する。
【００１４】
撮像読取機４０は、撮像の際、窓４６を通して、照明光源から指向される照明光によって、記号を照明するための照明器５２を含む。したがって、戻り光は、照明光および／または周囲光から導出され得る。照明光源は、１つ以上の発光ダイオード（ＬＥＤ）またはレーザを備える。照準光源５４はまた、照準ビームを放出するために、かつ撮像に先立って、記号上に照準光パターンまたはマークを投影するために、提供され得る。前述の構成要素は、コントローラ７０を除き、データ捕捉アセンブリ５０として、図３に描写される。
【００１５】
撮像読取機４０の動作時、コントローラ７０は、コマンド信号を送信し、走査の際、典型的には、連続的に、または時として、周期的に、照明器ＬＥＤ／レーザ５２を駆動させ、かつ、フレームの露光時間の間、撮像器５５を励起し、短時間、例えば、５００ミリ秒以下の間、記号から光を収集する。典型的アレイは、標的画像全体を読み取るために、約３３ミリ秒を必要とし、毎秒約３０フレームのフレーム率で動作する。アレイは、約１００万個のアドレス可能な画像センサを有し得る。
【００１６】
また、図２−３に示されるは、その上に、コントローラ７０および再充電可能バッテリ７２が搭載される、ハンドル４４内の印刷回路基板（ＰＣＢ）６０である。コントローラ７０は、データ捕捉アセンブリ５０と同一ＰＣＢ上に搭載され得る。再充電可能バッテリ７２は、手持モードにおいて、読取機４０内のすべての電気構成要素に電力を供給する。
【００１７】
図２のレーザバーコードスキャナおよび図３の撮像バーコードスキャナは両方とも、１次元または２次元バーコード等の光学記号を読み取るために使用することができる。光学記号に加え、ＲＦＩＤタグ等の他の種類のタグもまた、製造、倉庫、および小売環境において、製品追跡、製品識別、および在庫管理のために一般的に使用される。
【００１８】
ＲＦＩＤ技術は、概して、無線周波数（ＲＦ）波によって、ＲＦＩＤタグに呼び掛けるステップと、ＲＦＩＤ読取機によって、応答ＲＦ波を読み取るステップとを伴う。ＲＦＩＤタグは、典型的には、ＲＦアンテナに連結される、極小マイクロチップを含む。ＲＦＩＤタグは、識別される物体に取り付けることができる。ＲＦＩＤ読取機は、典型的には、送信機および受信機に連結される、アンテナを含む。
【００１９】
図４は、一特定の種類の実装において、簡略化されたＲＦＩＤ読取機８０の一部を示す。図４では、ＲＦＩＤ読取機８０は、送信機８２および受信機８４に連結される、アンテナ８８を含む。ＲＦＩＤ読取機８０はまた、サーキュレータ８３と、復調器８６と、周波数発生器８１とを含む。
【００２０】
動作時、送信機８２は、ＲＦ呼び掛け信号を生成する。このＲＦ呼び掛け信号は、３ポートサーキュレータ８３を通して、アンテナ８８に連結される。次いで、アンテナ８８から放射された電磁波が、ＲＦＩＤタグ内のアンテナによって、受信される。ＲＦＩＤ読取機からの呼び掛けに応答して、ＲＦタグは、ＲＦタグの識別情報によって符号化されたいくつかの応答電磁波を反射するであろう。応答電磁波は、アンテナ８８によって、応答ＲＦ信号として、ピックアップされる。応答ＲＦ信号は、サーキュレータ８３に入射し、受信機８４によって受信される。受信機によって受信されたＲＦ信号は、増幅後、周波数発生器８１からの基準ＲＦ信号を受信する、復調器８６によって、復調される。復調器８６からの復調信号は、ある信号処理回路に連結され、復調信号から、ＲＦタグによって返された識別情報を復号化する。
【００２１】
いくつかの実装では、復調器８６は、二重直交復調器であって、復調器８６からの復調信号は、２つの成分（同相復調信号Ｉｒｘおよび直交復調信号Ｑｒｘ）を含む、復調ベクトル信号であることができる。この復調ベクトル信号は、さらなる信号処理のために、ある信号処理回路に連結することができる。
【００２２】
図５は、いくつかの実施形態による、拡張ポート７８を含む、改良された光学式バーコードスキャナ４０を描写する。光学式バーコードスキャナ４０は、データ捕捉アセンブリ５０と、マイクロプロセッサ７０と、バッテリ７２とを含む。データ捕捉アセンブリ５０は、図２のレーザバーコードスキャナの一部、または図３の撮像バーコードスキャナの一部であることができる。一実装では、図５に示されるように、拡張ポート７８は、基部４８内の空洞４９の内側に位置する。拡張ポート７８のための空洞４９は、カバー４７によって覆われる。いくつかの実装では、カバー４７は、旋回可能に開放することができる。他の実装では、カバー４７は、拡張ポート７８が、他の電子モジュールに接続するために使用される場合、基部４８から取り外すことができる。さらに他の実装では、基部４８は、空洞４９およびカバー４７を全く有さず、拡張ポート７８は、基部４８の他の部分または筐体４４の他の部分に位置することができる。
【００２３】
図５ではまた、ＲＦＩＤ読取機８０が、拡張ポート７８を使用して、光学式バーコードスキャナ４０に接続することができることが示される。ＲＦＩＤ読取機８０は、ＲＦＩＤアンテナ８８と、ＲＦ送信機８２と、ＲＦ受信機８４と、復調器８３とを含む。ＲＦＩＤ読取機８０はまた、インターフェースコネクタ８９が、光学式バーコードスキャナの拡張ポート７８と接続されると、ＲＦＩＤ読取機８０と光学式バーコードスキャナ４０との間の通信リンクを形成するためのインターフェースコネクタ８９を含む。いくつかの実装では、ＲＦＩＤ読取機はまた、光学式バーコードスキャナ４０の筐体４２の内側に位置するバッテリ７２から、電力を受け取るように構成される。他の実装では、ＲＦＩＤ読取機および光学式バーコードスキャナ４０は両方とも、壁に差し込まれたコードを介して、電力を受け取るように構成される。
【００２４】
図５では、光学式バーコードスキャナ４０は、トリガ４１を含む。トリガ４１は、概して、光学式バーコードスキャナ４０によって、バーコード記号の読取を開始するために使用される。インターフェースコネクタ８９が、拡張ポート７８と接続された後、ＲＦＩＤ読取機８０と光学式バーコードスキャナ４０との間の通信リンクが確立されると、トリガ４１のトリガ状態は、ＲＦＩＤ読取機８０によって、そのインターフェースコネクタ８９から受信することができる。したがって、トリガ４１はまた、ＲＦＩＤ読取機８０によって、ＲＦＩＤタグの読取を開始するために使用することができる。いくつかの他の実装では、ＲＦＩＤ読取機８０によるＲＦＩＤタグの読取は、トリガ４１を押下することによって、手動で開始することができるが、ＲＦＩＤタグの読取はまた、他のトリガ事象によって、自動的に開始することができる。例えば、ＲＦＩＤタグの読取は、ＲＦＩＤタグの存在が、いくつかの他の機構によって検出されると、開始することができる。別の実施例では、ＲＦＩＤタグの読取は、単に、周期的に開始することができる。
【００２５】
いくつかの実装では、図５の光学式バーコードスキャナ４０は、手持モードまたは提示モードのいずれかにおいて、選択的に動作することができる。例えば、光学式バーコードスキャナ４０は、手持モードまたは提示モードを手動で選択するためのモードスイッチ（図示せず）を含むことができる。他の実施例では、光学式バーコードスキャナは、どのモードが使用されることが意図されるかを検出するための動作モード検出器を含むことができる。具体的には、光学式バーコードスキャナは、光学式バーコードスキャナ４０が、ユーザによって保持されているかどうかを検出するためのある検出機構を有し、または光学式バーコードスキャナ４０が、テーブルから持ち上げられているかどうかを検出するためのある検出機構を有し得る。多くの実装では、光学式バーコードスキャナ４０の動作モードは、モード状態によって、符号化または識別することができる。
【００２６】
インターフェースコネクタ８９が、拡張ポート７８と接続後、ＲＦＩＤ読取機８０と光学式バーコードスキャナ４０との間の通信リンクが、確立されると、光学式バーコードスキャナ４０のモード状態は、ＲＦＩＤ読取機８０によって、そのインターフェースコネクタ８９から、受信することができる。ＲＦＩＤ読取機８０は、インターフェースコネクタ８９から受信したモード状態に基づいて、その動作モードを設定するように構成することができる。ＲＦＩＤ読取機８０は、受信したモード状態に基づいて、１つ以上のＲＦＩＤ読取パラメータを設定するように構成することができる。例えば、提示モードにある場合、その時の小売取引の一部ではない余分なタグを読み取ることは望ましくないため、ＲＦＩＤ伝送電力は、ＲＦＩＤ視野が、すぐそばのチェックアウトエリアに限定されることを保証するように、低レベルに設定することができる。しかしながら、ユーザが、スキャナ４０を取り上げ、手持モードが作動されると、ＲＦＩＤ伝送電力は、より長い距離の呼び掛けのために、より高い電力に切り得ることができる。デューティサイクル等の他のパラメータもまた、用途に応じて、調節することができる。
【００２７】
図８および図９に示されるように、図５のＲＦＩＤ読取機８０は、概して、光学式バーコードスキャナ４０の基部４８に取り付け可能な付属モジュール９２内に設置することができる。図６−１０は、いくつかの実施形態による、付属モジュール９２が、どのように光学式バーコードスキャナ４０の基部４８に取り付けられるかを例証する。図６は、光学式バーコードスキャナ４０の基部４８が、基部４８内の拡張ポート７８を覆うためのカバー４７を有することを示す。カバー４７が除去された後、図７に示されるように、空洞４９および拡張ポート７８は、付属モジュール９２を受け取るために利用可能となる。次いで、ＲＦＩＤ読取機８０のインターフェースコネクタ８９は、光学式バーコードスキャナ４０の拡張ポート７８と接続され、付属モジュール９２は、光学式バーコードスキャナ４０の基部４８に取り付けられる。
【００２８】
一実装では、図８に示されるように、付属モジュール９２は、付属モジュール９２を光学式バーコードスキャナ４０の基部４８内に位置する空洞４９内に着座させる（図５に示されるように）、形状因子を有する。そのような形状因子によって、付属モジュール９２の少なくとも一部は、光学式バーコードスキャナ４０の空洞４９内に挿入することができる。
【００２９】
別の実装では、図９に示されるように、付属モジュール９２は、基部４８の一部を付属モジュール９２の中空空間内に摺動させる、形状因子を有する。本中空空間は、プラスチック成形プロセスの際、付属モジュール９２のための筐体の他の部分とともに形成することができる。本中空空間はまた、複数の部分をともに組み合わせることによって、形成することができる。例えば、図１０に示されるように、光学式バーコードスキャナ４０の基部４８の部分を受け取るための付属モジュール９２の中空空間は、上部カバー部分９２Ａおよび平坦底部部分９２Ｂによって、形成される。基部４８の一部は、機械的締結具によって、上部カバー部分９２Ａと平坦底部部分９２Ｂとの間に挟入される。
【００３０】
図８および図９に示される実装に加え、当業者は、付属モジュール９２が、いくつかの他の方法によって、光学式バーコードスキャナ４０の基部４８に取り付けることができることを認識することができる。さらに、付属モジュール９２が、光学式バーコードスキャナ４０の他の部分に取り付けられる場合でも、ＲＦＩＤ読取機８０と光学式バーコードスキャナ４０との間の通信リンクは、ＲＦＩＤ読取機８０のインターフェースコネクタ８９が、光学式バーコードスキャナ４０の拡張ポート７８と接続される場合、依然として、確立することができる。光学式バーコードスキャナ４０のトリガ状態またはモード状態は、ＲＦＩＤ読取機８０によって、依然として、受信することができる。
【００３１】
前述の明細書では、具体的実施形態が説明された。しかしながら、当業者は、以下の請求項に説明されるように、本発明の範囲から逸脱することなく、種々の修正および変更を行うことができることを理解する。故に、明細書および図は、限定的意味ではなく、例証的意味におけるものと見なされ、そのような修正はすべて、本教示の範囲内に含まれることが意図される。
【００３２】
効果、利点、または解決策を生じさせる、あるいはより顕著にさせ得る、効果、利点、問題の解決策、および任意の要素はいずれも、任意またはすべての請求項の重要、必要、必須特徴あるいは要素として、解釈されるものではない。本発明は、本願の係属の間、およびそれらの請求項のすべての均等物の発行に伴って行われる、任意の修正を含め、添付の請求項によってのみ、定義される。
【００３３】
さらに、本書では、第１および第２、上部および底部等の相関的用語は、１つのエンティティまたは作用を別のエンティティあるいは作用と区別するためにだけに使用され得るが、必ずしも、そのようなエンティティまたは作用間の任意の実際のそのような関係あるいは順番を必要もしくは含意するわけではない。用語「備える（ｃｏｍｐｒｉｓｅｓ）」、「備える（ｃｏｍｐｒｉｓｉｎｇ）」、「有する（ｈａｓ）」、「有するｈａｖｉｎｇ」」、「含む（ｉｎｃｌｕｄｅｓ）」、「含む（ｉｎｃｌｕｄｉｎｇ）」、「含む（ｃｏｎｔａｉｎｓ）」、「含む（ｃｏｎｔａｉｎｉｎｇ）」、またはそれらの任意の他の変形例は、一連の要素を備える、有する、含む、含有する、プロセス、方法、物品、または装置が、それらの要素のみを含むわけではなく、明示的に列挙されない、あるいはそのようなプロセス、方法、物品、または装置に内在しない他の要素も含み得るように、非排他的含有を網羅することが意図される。「を含む（ｃｏｍｐｒｉｓｅｓ・・・ａ）」、「を有する（ｈａｓ・・・ａ）」、「を含む（ｉｎｃｌｕｄｅｓ・・・ａ）」、「を含む（ｃｏｎｔａｉｎｓ・・・ａ）」に先行する要素は、より多くの制約を受けることなく、要素を備える、有する、含む、含有する、プロセス、方法、物品、または装置内に、付加的同等要素の存在を排除するものではない。用語「１つ（ａ）」および「１つ（ａｎ）」は、本明細書に明示的にそうではないことが記載されない限り、１つ以上として定義される。用語「実質的に（ｓｕｂｓｔａｎｔｉａｌｌｙ）」、「本質的に（ｅｓｓｅｎｔｉａｌｌｙ）」、「おおよそ（ａｐｐｒｏｘｉｍａｔｅｌｙ）」、「約（ａｂｏｕｔ）」、またはそれらの任意の他の変形例は、当業者によって理解されるものに可能な限り近似するように定義され、一非限定的実施形態では、本用語は、１０％以内、別の実施形態では、５％以内、別の実施形態では、１％以内、別の実施形態では、０．５％以内であると定義される。用語「接続される（ｃｏｕｐｌｅｄ）」は、本明細書で使用されるように、接続されるとして定義されるが、必ずしも、直接ではなく、必ずしも、機械的にではない。ある方法において、「構成される（ｃｏｎｆｉｇｕｒｅｄ）」デバイスまたは構造は、少なくともその方法において構成されるが、また、列挙されない方法で構成され得る。
【００３４】
いくつかの実施形態は、マイクロプロセッサ、デジタル信号プロセッサ、カスタムプロセッサ、およびフィールドプログラマブルゲートアレイ（ＦＰＧＡ）等の１つ以上の汎用または特殊プロセッサ（または、「処理デバイス」）と、本明細書に説明される方法および／または装置の機能の一部、ほとんど、または全部を実装するために、ある非プロセッサ回路と共に、１つ以上のプロセッサを制御する一意の格納されたプログラム命令（ソフトウェアおよびファームウェアの両方を含む）とから成り得ることを理解されるであろう。代替として、一部または全部の機能は、格納されたプログラム命令を有していない、状態機械によって実装され得るか、各機能またはある機能のいくつかの組み合わせが、カスタム論理として実装される１つ以上の特定用途向け集積回路（ＡＳＩＣ）において実装され得る。当然ながら、２つのアプローチの組み合わせも使用され得る。
【００３５】
さらに、実施形態は、コンピュータ（例えば、プロセッサを備える）をプログラムし、本明細書に説明および請求される方法を行うために、そこに格納されるコンピュータ可読コードを有する、コンピュータ可読記憶媒体として、実装することができる。そのようなコンピュータ可読記憶媒体の実施例として、ハードディスク、ＣＤ−ＲＯＭ、光学式記憶デバイス、磁気記憶デバイス、ＲＯＭ（読取専用メモリ）、ＰＲＯＭ（プログラム可能読取専用メモリ）、ＥＰＲＯＭ（消去可能プログラム可能読取専用メモリ）、ＥＥＰＲＯＭ（電気的に消去可能プログラム可能読取専用メモリ）、およびフラッシュメモリが挙げられるが、それらに限定されない。さらに、当業者は、可能性として、例えば、利用可能な時間、現在の技術、および経済学的考察によって、著しい努力および多くの設計選択肢が誘起されるが、本明細書に開示される概念および原理に導かれることによって、最小限の実験によって、そのようなソフトウェア命令およびプログラムならびにＩＣを容易に生成可能であろうことができるが予測される。
【００３６】
開示内容の要約は、読者に、技術開示の本質を迅速に解明させるために提供される。請求項の範囲または意味を解釈あるいは限定するために使用されるものではないという理解を持って思量されたい。加えて、前述の発明を実施するための形態では、種々の特徴は、開示を合理化する目的のために、種々の実施形態において、ともに群化されたことが分かる。本開示の方法は、請求される実施形態が、各請求項に明示的に列挙されるより多くの特徴を必要とするという意図を反映するものとして解釈されない。むしろ、以下の請求項が反映するように、発明の主題は、単一の開示される実施形態のすべての特徴に満たない。したがって、以下の請求項は、発明を実施するための形態に組み込まれ、各請求項は、そのままで、別個に請求される主題として成り立つ。
【００３７】
本発明はさらに、例えば、以下を提供する。
（項目１）
筐体と、基部と、拡張ポートとを有する光学式バーコードスキャナであって、前記光学式バーコードスキャナが平坦表面上に設置された場合に、前記基部は、前記光学式バーコードスキャナのための支持として機能するように動作する、光学式バーコードスキャナと、
付属モジュールと
を備え、
前記付属モジュールは、前記付属モジュールの中にＲＦＩＤ読取機を有し、前記付属モジュールを前記光学式バーコードスキャナに取り付けるように構成された形状因子を有し、前記付属モジュールは、インターフェースコネクタが前記光学式バーコードスキャナの拡張ポートと接続された場合に、前記ＲＦＩＤ読取機と前記光学式バーコードスキャナとの間の通信リンクを形成するためのインターフェースコネクタをさらに備え、前記ＲＦＩＤ読取機は、ＲＦＩＤアンテナと、ＲＦ送信機と、ＲＦ受信機と、復調器とを含む、
装置。
（項目２）
前記光学式バーコードスキャナは、トリガを含み、前記ＲＦＩＤ読取機は、前記インターフェースコネクタが前記光学式バーコードスキャナの拡張ポートと接続された場合に、前記ＲＦＩＤ読取機のインターフェースコネクタから、トリガ状態を受信するように構成されている、項目１に記載の装置。
（項目３）
前記光学式バーコードスキャナは、手持モードおよび提示モードを含む複数のモードのうちの１つで動作するように構成され、前記ＲＦＩＤ読取機は、前記インターフェースコネクタが前記光学式バーコードスキャナの拡張ポートと接続された場合に、前記ＲＦＩＤ読取機のインターフェースコネクタからモード状態を受信するように構成されている、項目１に記載の装置。
（項目４）
前記モード状態を受信すると、前記ＲＦＩＤ読取機は、前記モード状態に基づいて、前記ＲＦＩＤ読取機の動作モードおよび前記ＲＦＩＤ読取機の少なくとも１つのＲＦＩＤパラメータのうちの少なくとも１つを設定するように構成されている、項目３に記載の装置。
（項目５）
前記光学式バーコードスキャナは、バッテリを含み、前記ＲＦＩＤ読取機は、前記インターフェースコネクタが前記光学式バーコードスキャナの拡張ポートと接続された場合に、前記光学式バーコードスキャナのバッテリから、電力を受信するように構成されている、項目１に記載の装置。
（項目６）
光学式バーコードスキャナを拡張するための付属モジュールであって、前記光学式バーコードスキャナは、筐体と、基部と、拡張ポートとを有し、
前記付属モジュールは、
ＲＦＩＤアンテナと、ＲＦ送信機と、ＲＦ受信機と、復調器とを含むＲＦＩＤ読取機と、
前記光学式バーコードスキャナに取り付け可能な本体部分と、
インターフェースコネクタと
を備え、
前記インターフェースコネクタは、インターフェースコネクタが、前記光学式バーコードスキャナの拡張ポートと接続された場合に、前記ＲＦＩＤ読取機と前記光学式バーコードスキャナとの間の通信リンクを形成する、
付属モジュール。
（項目７）
前記光学式バーコードスキャナは、トリガを有し、前記ＲＦＩＤ読取機は、前記インターフェースコネクタが前記光学式バーコードスキャナの拡張ポートと接続された場合に、前記インターフェースコネクタから、前記光学式バーコードスキャナのトリガ状態を受信するように構成されている、項目６に記載の付属モジュール。
（項目８）
前記光学式バーコードスキャナは、手持モードおよび提示モードを含む複数のモードのうちの１つで動作するように構成され、前記ＲＦＩＤ読取機は、前記インターフェースコネクタが前記光学式バーコードスキャナの拡張ポートと接続された場合に、前記インターフェースコネクタから、前記光学式バーコードスキャナのモード状態を受信するように構成されている、項目６に記載の付属モジュール。
（項目９）
前記モード状態を受信すると、前記ＲＦＩＤ読取機は、前記モード状態に基づいて、前記ＲＦＩＤ読取機の動作モードおよび前記ＲＦＩＤ読取機の少なくとも１つのＲＦＩＤパラメータのうちの少なくとも１つを設定するように構成されている、項目８に記載の付属モジュール。
（項目１０）
前記光学式バーコードスキャナは、バッテリを有し、前記ＲＦＩＤ読取機は、前記インターフェースコネクタが前記光学式バーコードスキャナの拡張ポートと接続された場合に、前記光学式バーコードスキャナのバッテリから、電力を受け取るように構成されている、項目６に記載の付属モジュール。
（項目１１）
光学式バーコードスキャナを拡張する方法であって、前記光学式バーコードスキャナは、筐体と、基部と、拡張ポートとを有し、前記方法は、
付属モジュールであって、前記付属モジュールの中にＲＦＩＤ読取機を有する付属モジュールと、インターフェースコネクタとを提供することであって、前記ＲＦＩＤ読取機は、ＲＦＩＤアンテナと、ＲＦ送信機と、ＲＦ受信機と、復調器とを含む、ことと、
前記光学式バーコードスキャナを拡張するために、前記付属モジュールを前記光学式バーコードスキャナに取り付けることと、
前記インターフェースコネクタを前記光学式バーコードスキャナの拡張ポートと接続し、前記ＲＦＩＤ読取機と前記光学式バーコードスキャナとの間の通信リンクを形成することと
を含む、方法。
（項目１２）
前記光学式バーコードスキャナは、トリガを含み、前記ＲＦＩＤ読取機によって、前記インターフェースコネクタから前記光学式バーコードスキャナのトリガ状態を受信することとをさらに含む、項目１１に記載の方法。
（項目１３）
前記光学式バーコードスキャナは、手持モードおよび提示モードを含む複数のモードのうちの１つで動作するように構成され、前記ＲＦＩＤ読取機によって、前記インターフェースコネクタから前記光学式バーコードスキャナのモード状態を受信することをさらに含む、項目１１に記載の方法。
（項目１４）
前記インターフェースコネクタから受信した前記モード状態に基づいて、前記ＲＦＩＤ読取機の動作モードおよび少なくとも１つのＲＦＩＤパラメータのうちの少なくとも１つを設定することをさらに含む、項目１３に記載の方法。
（項目１５）
前記光学式バーコードスキャナ内のバッテリによって、前記ＲＦＩＤ読取機に給電することをさらに含む、項目１１に記載の方法。
【図１】
2013511772.tif 000003
【図２】
2013511772.tif 000004
【図３】
2013511772.tif 000005
【図４】
2013511772.tif 000006
【図５】
2013511772.tif 000007
【図６】
2013511772.tif 000008
【図７】
2013511772.tif 000009
【図８】
2013511772.tif 000010
【図９】
2013511772.tif 000011
【図１０】
2013511772.tif 000012
【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
筐体と、基部と、拡張ポートとを有する光学式バーコードスキャナであって、前記拡張ポートは、外部取り付け可能な付属モジュールを前記光学式バーコードスキャナに接続し、前記光学式バーコードスキャナが平坦表面上に設置された場合に、前記基部は、前記光学式バーコードスキャナのための支持として機能するように動作し、前記光学式バーコードスキャナは、手持モードおよび提示モードのうちの１つで動作することと、これらのモードのうちの１つを示すモード状態を提供することとを行うように構成されている、光学式バーコードスキャナと、
外部取り付け可能な付属モジュールと
を備え、
前記付属モジュールは、前記付属モジュールの中にＲＦＩＤ読取機を有し、前記付属モジュールを前記光学式バーコードスキャナに取り付けるように構成された形状因子を有し、前記付属モジュールは、インターフェースコネクタが前記光学式バーコードスキャナの拡張ポートと接続された場合に、前記ＲＦＩＤ読取機と前記光学式バーコードスキャナとの間の通信リンクを形成するためのインターフェースコネクタをさらに備え、前記ＲＦＩＤ読取機は、ＲＦＩＤアンテナと、ＲＦ送信機と、ＲＦ受信機と、復調器とを含み、前記付属モジュールは、前記光学式バーコードスキャナに外部取り付け可能であり、
前記ＲＦＩＤ読取機は、前記インターフェースコネクタが前記光学式バーコードスキャナの前記拡張ポートと接続された場合に、前記インターフェースコネクタを介して前記光学式バーコードスキャナから前記モード状態を受信するように構成され、前記ＲＦＩＤ読取機は、前記光学式バーコードスキャナが提示モードにあることを前記モード状態が示す場合に、ＲＦＩＤ伝送電力レベルを低下させることが可能である、
装置。
【請求項２】
前記光学式バーコードスキャナは、検出機構を有し、前記検出機構は、前記光学式バーコードスキャナが手持モードにある場合または提示モードにある場合を検出し、前記モード状態を符号化する、請求項１に記載の装置。
【請求項３】
光学式バーコードスキャナを拡張するための外部取り付け可能な付属モジュールであって、前記光学式バーコードスキャナは、筐体と、基部と、拡張ポートとを有し、
前記付属モジュールは、
ＲＦＩＤアンテナと、ＲＦ送信機と、ＲＦ受信機と、復調器とを含むＲＦＩＤ読取機と、
前記光学式バーコードスキャナに取り付け可能な本体部分と、
インターフェースコネクタと
を備え、
前記インターフェースコネクタは、インターフェースコネクタが、前記光学式バーコードスキャナの拡張ポートと接続された場合に、前記ＲＦＩＤ読取機と前記光学式バーコードスキャナとの間の通信リンクを形成し、
前記光学式バーコードスキャナは、手持モードおよび提示モードのうちの１つで動作することと、これらのモードのうちの１つを示すモード状態を提供することとを行うように構成され、前記ＲＦＩＤ読取機は、前記インターフェースコネクタが前記光学式バーコードスキャナの前記拡張ポートと接続された場合に、前記インターフェースコネクタを介して前記光学式バーコードスキャナから前記モード状態を受信するように構成され、前記ＲＦＩＤ読取機は、前記光学式バーコードスキャナが提示モードにあることを前記モード状態が示す場合に、ＲＦＩＤ伝送電力レベルを低下させることが可能である、
外部取り付け可能な付属モジュール。
【請求項４】
光学式バーコードスキャナを拡張する方法であって、前記光学式バーコードスキャナは、筐体と、基部と、拡張ポートとを有し、前記拡張ポートは、外部取り付け可能な付属モジュールを前記光学式バーコードスキャナに接続し、前記方法は、
外部取り付け可能な付属モジュールであって、前記外部取り付け可能な付属モジュールの中にＲＦＩＤ読取機を有する外部取り付け可能な付属モジュールと、インターフェースコネクタとを提供することであって、前記ＲＦＩＤ読取機は、ＲＦＩＤアンテナと、ＲＦ送信機と、ＲＦ受信機と、復調器とを含む、ことと、
前記光学式バーコードスキャナを拡張するために、前記外部取り付け可能な付属モジュールを前記光学式バーコードスキャナに取り付けることと、
前記インターフェースコネクタを前記光学式バーコードスキャナの拡張ポートと接続し、前記ＲＦＩＤ読取機と前記光学式バーコードスキャナとの間の通信リンクを形成することと
前記ＲＦＩＤ読取機によって、前記光学式バーコードスキャナからモード状態を受信することであって、前記モード状態は、前記光学式バーコードスキャナの手持モードおよび提示モードのうちの１つを示す、ことと、
前記インターフェースコネクタが前記光学式バーコードスキャナの前記拡張ポートと接続された場合に、前記インターフェースコネクタを介して前記光学式バーコードスキャナから受信された前記提示モードに応答して、前記ＲＦＩＤ読取機のＲＦＩＤ伝送電力レベルを低下させることと
を含む、方法。
【手続補正２】
【補正対象書類名】明細書
【補正対象項目名】０００８
【補正方法】変更
【補正の内容】
【０００８】
本発明の実装は、以下の利点のうちの１つ以上を含むことができる。ＲＦＩＤ読取能力は、モジュラー式かつコスト効率的様式において、いくつかの既存のバーコードスキャナに追加することができる。本発明のこれらおよび他の利点は、本発明の以下の明細書の熟読および図面のいくつかの図の研究に応じて、当業者に明白となるであろう。
本発明はさらに、例えば、以下を提供する。
（項目１）
筐体と、基部と、拡張ポートとを有する光学式バーコードスキャナであって、前記拡張ポートは、外部取り付け可能な付属モジュールを前記光学式バーコードスキャナに接続し、前記光学式バーコードスキャナが平坦表面上に設置された場合に、前記基部は、前記光学式バーコードスキャナのための支持として機能するように動作する、光学式バーコードスキャナと、
付属モジュールと
を備え、
前記付属モジュールは、前記付属モジュールの中にＲＦＩＤ読取機を有し、前記付属モジュールを前記光学式バーコードスキャナに取り付けるように構成された形状因子を有し、前記付属モジュールは、インターフェースコネクタが前記光学式バーコードスキャナの拡張ポートと接続された場合に、前記ＲＦＩＤ読取機と前記光学式バーコードスキャナとの間の通信リンクを形成するためのインターフェースコネクタをさらに備え、前記ＲＦＩＤ読取機は、ＲＦＩＤアンテナと、ＲＦ送信機と、ＲＦ受信機と、復調器とを含み、前記付属モジュールは、前記光学式バーコードスキャナに外部取り付け可能である、
装置。
（項目２）
前記光学式バーコードスキャナは、トリガを含み、前記ＲＦＩＤ読取機は、前記インターフェースコネクタが前記光学式バーコードスキャナの拡張ポートと接続された場合に、前記ＲＦＩＤ読取機のインターフェースコネクタから、トリガ状態を受信するように構成されている、項目１に記載の装置。
（項目３）
前記光学式バーコードスキャナは、手持モードおよび提示モードを含む複数のモードのうちの１つで動作するように構成され、前記ＲＦＩＤ読取機は、前記インターフェースコネクタが前記光学式バーコードスキャナの拡張ポートと接続された場合に、前記ＲＦＩＤ読取機のインターフェースコネクタからモード状態を受信するように構成されている、項目１に記載の装置。
（項目４）
前記モード状態を受信すると、前記ＲＦＩＤ読取機は、前記モード状態に基づいて、前記ＲＦＩＤ読取機の動作モードおよび前記ＲＦＩＤ読取機の少なくとも１つのＲＦＩＤパラメータのうちの少なくとも１つを設定するように構成されている、項目３に記載の装置。
（項目５）
前記光学式バーコードスキャナは、バッテリを含み、前記ＲＦＩＤ読取機は、前記インターフェースコネクタが前記光学式バーコードスキャナの拡張ポートと接続された場合に、前記光学式バーコードスキャナのバッテリから、電力を受信するように構成されている、項目１に記載の装置。
（項目６）
光学式バーコードスキャナを拡張するための外部取り付け可能な付属モジュールであって、前記光学式バーコードスキャナは、筐体と、基部と、拡張ポートとを有し、
前記付属モジュールは、
ＲＦＩＤアンテナと、ＲＦ送信機と、ＲＦ受信機と、復調器とを含むＲＦＩＤ読取機と、
前記光学式バーコードスキャナに取り付け可能な本体部分と、
インターフェースコネクタと
を備え、
前記インターフェースコネクタは、インターフェースコネクタが、前記光学式バーコードスキャナの拡張ポートと接続された場合に、前記ＲＦＩＤ読取機と前記光学式バーコードスキャナとの間の通信リンクを形成する、
外部取り付け可能な付属モジュール。
（項目７）
前記光学式バーコードスキャナは、トリガを有し、前記ＲＦＩＤ読取機は、前記インターフェースコネクタが前記光学式バーコードスキャナの拡張ポートと接続された場合に、前記インターフェースコネクタから、前記光学式バーコードスキャナのトリガ状態を受信するように構成されている、項目６に記載の外部取り付け可能な付属モジュール。
（項目８）
前記光学式バーコードスキャナは、手持モードおよび提示モードを含む複数のモードのうちの１つで動作するように構成され、前記ＲＦＩＤ読取機は、前記インターフェースコネクタが前記光学式バーコードスキャナの拡張ポートと接続された場合に、前記インターフェースコネクタから、前記光学式バーコードスキャナのモード状態を受信するように構成されている、項目６に記載の外部取り付け可能な付属モジュール。
（項目９）
前記モード状態を受信すると、前記ＲＦＩＤ読取機は、前記モード状態に基づいて、前記ＲＦＩＤ読取機の動作モードおよび前記ＲＦＩＤ読取機の少なくとも１つのＲＦＩＤパラメータのうちの少なくとも１つを設定するように構成されている、項目８に記載の外部取り付け可能な付属モジュール。
（項目１０）
前記光学式バーコードスキャナは、バッテリを有し、前記ＲＦＩＤ読取機は、前記インターフェースコネクタが前記光学式バーコードスキャナの拡張ポートと接続された場合に、前記光学式バーコードスキャナのバッテリから、電力を受け取るように構成されている、項目６に記載の外部取り付け可能な付属モジュール。
（項目１１）
光学式バーコードスキャナを拡張する方法であって、前記光学式バーコードスキャナは、筐体と、基部と、拡張ポートとを有し、前記拡張ポートは、外部取り付け可能な付属モジュールを前記光学式バーコードスキャナに接続し、前記方法は、
外部取り付け可能な付属モジュールであって、前記外部取り付け可能な付属モジュールの中にＲＦＩＤ読取機を有する外部取り付け可能な付属モジュールと、インターフェースコネクタとを提供することであって、前記ＲＦＩＤ読取機は、ＲＦＩＤアンテナと、ＲＦ送信機と、ＲＦ受信機と、復調器とを含む、ことと、
前記光学式バーコードスキャナを拡張するために、前記外部取り付け可能な付属モジュールを前記光学式バーコードスキャナに取り付けることと、
前記インターフェースコネクタを前記光学式バーコードスキャナの拡張ポートと接続し、前記ＲＦＩＤ読取機と前記光学式バーコードスキャナとの間の通信リンクを形成することと
を含む、方法。
（項目１２）
前記光学式バーコードスキャナは、トリガを含み、前記ＲＦＩＤ読取機によって、前記インターフェースコネクタから前記光学式バーコードスキャナのトリガ状態を受信することとをさらに含む、項目１１に記載の方法。
（項目１３）
前記光学式バーコードスキャナは、手持モードおよび提示モードを含む複数のモードのうちの１つで動作するように構成され、前記ＲＦＩＤ読取機によって、前記インターフェースコネクタから前記光学式バーコードスキャナのモード状態を受信することをさらに含む、項目１１に記載の方法。
（項目１４）
前記インターフェースコネクタから受信した前記モード状態に基づいて、前記ＲＦＩＤ読取機の動作モードおよび少なくとも１つのＲＦＩＤパラメータのうちの少なくとも１つを設定することをさらに含む、項目１３に記載の方法。
（項目１５）
前記光学式バーコードスキャナ内のバッテリによって、前記ＲＦＩＤ読取機に給電することをさらに含む、項目１１に記載の方法。
【国際調査報告】
2013511772.tif 000013
2013511772.tif 000014